(57)【要約】【課題】  タイルを固定するための樹脂マット及びこれを用いたタイルマットにおいて、タイルを樹脂マット上に着脱可能に接合固定することで、タイルの組み合わせ等を変更可能とする。【解決手段】  マット基材としての樹脂マット３０と、その上面上に固定されるタイル２０からなるタイルマット１０において、タイルの下面の所定個所に弾性変形可能な嵌合突部２２を突設するとともに、樹脂マット上の所定個所に嵌合穴３５を形成する。各嵌合突部は、樹脂マットに形成した嵌合穴に嵌挿されるとともに、その先端側に設けた係止部２３が該嵌合穴の周縁部分に係止されることにより抜け止め状態とされる。タイルは、樹脂マット上に所定の配列状態で着脱可能に嵌合固定される。【選択図】        図４
0003189820.tif 000002
【実用新案登録請求の範囲】
【請求項１】
タイルと、このタイルを固定するためのマット基材からなるタイルマットにおいて、
前記タイルの下面には、該タイルを前記マット基材上に着脱自在に嵌合保持させるための嵌合突部が複数個所に設けられ、
前記嵌合突部は弾性変形可能な部材からなり、
前記嵌合突部はその外側の少なくとも一部に係止部が設けられ、
前記マット基材には嵌合穴が形成され、
前記嵌合突部の外側に設けられた係止部の外径は、前期マット基材に形成された嵌合穴の内径よりも大きく形成され、
前記嵌合突部は弾性変形して前記嵌合穴に嵌挿され、
前記嵌合突部の外側に設けられた係止部が該嵌合穴に係止されることにより抜け止め状態とされ、
前記タイルは、前記マット基材上に着脱可能に嵌合固定されるように構成されていることを特徴とするタイルマット。
【請求項２】
請求項１に記載のタイルマットにおいて、
前記マット基材は、弾性変形可能な部材からなり、
前記嵌合突部が弾性変形して前記嵌合穴に嵌挿される際に、前記嵌合穴の周縁部も弾性変形するように構成されていることを特徴とするタイルマット。
【請求項３】
請求項１又は請求項２のいずれか1項に記載のタイルマットにおいて、
前記嵌合突部の弾性変形可能な部材は、弾性樹脂であることを特徴とするタイルマット。
【請求項４】
請求項１又は請求項２のいずれか1項に記載のタイルマットにおいて、
前記嵌合突部の弾性変形可能な部材は、弾性接着剤であることを特徴とするタイルマット。
【請求項５】
請求項１ないし請求項４のいずれか１項に記載のタイルマットにおいて、
前記マット基材は、樹脂マットであり、
この樹脂マットの上面には、前記タイル下面に突設された嵌合突部を着脱自在に嵌合保持するための嵌合穴が貫通して形成されていることを特徴とするタイルマット。
【請求項６】
請求項５記載のタイルマットにおいて、
前記樹脂マットは、その上面に一枚のタイルまたは複数枚のタイルを所定の配列状態に並べて接合できる大きさで形成されていることを特徴とするタイルマット。
【考案の詳細な説明】
【技術分野】
【０００１】
本考案は、建築材料、特に建築物における床または壁面、あるいはバルコニーやベランダ等に敷設される建材マットとしてのタイルマットに関し、特にタイルを固定するための樹脂マット及びこの樹脂マットを基材とし、その表面に建材としてのタイルを敷設することによって構成されるタイルマットに関する。
【背景技術】
【０００２】
従来、建材としてのタイルは、下地材上に所定の配列状態で並べてモルタル、接着剤等で下地材に固着した構造となっており、施工が面倒かつ煩雑で、しかも作業に熟練を要し、工期も長くなる等の問題があった。
【０００３】
このため、近年では、上述したような作業性などの問題点を一掃するために、樹脂マット上に複数枚のタイルを所要の配列状態に並べて配置させ、それぞれを接着剤で接合固定してなるタイルマットが用いられるようになってきている（例えば、特許文献１，２等参照）。
【０００４】
すなわち、従来この種のタイルマットにおいて、特許文献１のタイルマットでは、樹脂マット上の所定個所に接着剤を充填させるための凹部を設け、該凹部内に接着剤を充填し、タイル裏面との間を接合することで、タイルを樹脂マットに固定している。
【０００５】
また、特許文献２のタイルマットでは、樹脂マット上に貫通孔を設けることにより、接着剤をタイル裏面と樹脂マットとの間に充填してこれらを接合固定している。
【先行技術文献】
【特許文献】
【０００６】
【特許文献１】特許第２７８３１２７号公報
【特許文献２】特許第３６５４２８９号公報
【考案の概要】
【考案が解決しようとする課題】
【０００７】
しかし、上述した従来のタイルマットでは、基材である樹脂マット上にタイルが接着剤で接合され、完全に固定されていることから、一度固定したらタイルの組み合わせを変えることができないという問題があった。
【０００８】
すなわち、この種のタイルマットは、基材としての樹脂マット上に複数枚のタイルを所要の配列状態で並べて設けることにより、このタイルマットをその施工場所に敷き詰めればよいことから施工が簡便であり、施工性に優れているとして、バルコニーやベランダ等に多用されつつある。
【０００９】
特に、この種のタイルマットは、通常、タイルの剥がれ等を防ぐために、タイルを接着剤で樹脂マットに強固に接着固定しているものである。
その一方において、この種のタイルマットには、施工場所に一旦敷き詰めた後、タイルの組み合わせを変えたり、材質、模様などの異なるタイルに変更したりし、建材としての多様化を図ること等も望まれているものであって、このような相反する要求に応えることができることが要望されている。
【００１０】
本考案はこのような事情に鑑みてなされたものであり、タイルを固定するための樹脂マット及びこの樹脂マットにタイルを組み合わせて固定してなるタイルマットにおいて、タイルを樹脂マット上に着脱可能に接合固定することで、タイルの組み合わせ等を変更可能とする樹脂マット及びこれを用いたタイルマットを得ることを目的とする。
【課題を解決するための手段】
【００１１】
このような目的に応えるために本考案（請求項１記載の考案）に係るタイルマットは、タイルと、このタイルを固定するためのマット基材からなるタイルマットにおいて、前記タイルの下面には、該タイルを前記マット基材上に着脱自在に嵌合保持させるための嵌合突部が複数個所に設けられ、前記嵌合突部は弾性変形可能な部材からなり、前記嵌合突部はその外側の少なくとも一部に係止部が設けられ、前記マット基材には嵌合穴が形成され、前記嵌合突部の外側に設けられた係止部の外径は、前期マット基材に形成された嵌合穴の内径よりも大きく形成され、前記嵌合突部は弾性変形して前記嵌合穴に嵌挿され、前記嵌合突部の外側に設けられた係止部が該嵌合穴に係止されることにより抜け止め状態とされ、前記タイルは、前記マット基材上に着脱可能に嵌合固定されるように構成されていることを特徴とする。
【００１２】
本考案（請求項２記載の考案）に係るタイルマットは、請求項１に記載のタイルマットにおいて、前記マット基材は、弾性変形可能な部材からなり、前記嵌合突部が弾性変形して前記嵌合穴に嵌挿される際に、前記嵌合穴の周縁部も弾性変形するように構成されていることを特徴とする。
【００１３】
本考案（請求項３記載の考案）に係るタイルマットは、請求項１又は請求項２のいずれか1項に記載のタイルマットにおいて、前記嵌合突部の弾性変形可能な部材は、弾性樹脂であることを特徴とする。
【００１４】
本考案（請求項４記載の考案）に係るタイルマットは、請求項１又は請求項２のいずれか1項に記載のタイルマットにおいて、前記嵌合突部の弾性変形可能な部材は、弾性接着剤であることを特徴とする。
【００１５】
本考案（請求項５記載の考案）に係るタイルマットは、請求項１ないし請求項４のいずれか１項に記載のタイルマットにおいて、前記マット基材は、樹脂マットであり、この樹脂マットの上面には、前記タイル下面に突設された嵌合突部を着脱自在に嵌合保持するための嵌合穴が貫通して形成されていることを特徴とする。
【００１６】
本考案（請求項６記載の考案）に係るタイルマットは、請求項５記載のタイルマットにおいて、前記樹脂マットは、その上面に一枚のタイルまたは複数枚のタイルを所定の配列状態に並べて接合できる大きさで形成されていることを特徴とする。
【考案の効果】
【００１７】
以上説明したように本考案に係るタイルマットによれば、タイルの下面に複数の嵌合突部を設け、これらの嵌合突部を弾性変形させ、樹脂マット等のマット基材に設けた嵌合穴に着脱自在に嵌合保持させ、これによりタイルをマット基材から必要に応じて取り外してタイルの組み合わせを変えることができる。したがって、タイルマットにおいて、タイルの材質や模様、さらに配列などを必要に応じて変えて、その多様化を図ることができる。
【００１８】
特に、本考案によれば、タイルの下面の嵌合突部を弾性接着剤とすることで、マット基材に設けた嵌合穴にこれらの嵌合突部を弾性変形させ、樹脂マット等のマット基材に設けた嵌合穴に嵌合保持させ係止固定する際の嵌入の際に弾性が高いので嵌入作業が容易な上に、弾性接着剤は硬化後も所定の弾性を有するため嵌合突部を切断せずに抜脱することが可能である上に、従来のような接着剤による接着固定が不要となるため、装着時の作業性に優れ、作業時間の大幅な短縮化を図ることができる。
【図面の簡単な説明】
【００１９】
【図１】本考案に係る樹脂マット及びこれを用いたタイルマットの一実施形態を示し、マット基材としての樹脂マットの斜視図である。
【図２】図１の樹脂マットの上面の拡大斜視図である。
【図３】図１の樹脂マットの下面の拡大斜視図である。
【図４】本考案に係る樹脂マット及びこれを用いたタイルマットの全体の概略構成を示す分解斜視図である。
【図５】図４のタイルマットを示す概略斜視図である。
【図６】本考案を特徴づける樹脂マットとタイルとの着脱可能な嵌合構造を説明するための概略分解斜視図である。
【図７】（ａ），（ｂ），（ｃ）は図６の嵌合構造を説明するための断面図である。
【図８】図７のタイルマットの嵌合突部を示す拡大斜視図である。
【図９】本考案に係るタイルマットの別の実施形態を示し、一つのタイルとこれに対応するマット基材である樹脂マットによるタイルマットを示す分解斜視図である。
【図１０】本考案に係るタイルマットの他の実施形態を示し、タイルと樹脂マットとの関係を適宜設定した例を説明するための概略説明図である。
【図１１】本考案に係るタイルマットの他の実施形態を示し、樹脂マットの嵌合穴を増やした例を説明するための概略説明図である。
【図１２】図１１の樹脂マットの上面の拡大斜視図である。
【図１３】図１１の樹脂マットの下面の拡大斜視図である。
【考案を実施するための形態】
【実施例１】
【００２０】
図１ないし図８は本考案に係る樹脂マット及びこれを用いたタイルマットの一実施形態を示すものであり、これらの図において、この実施形態では、タイルマット１０として、図４および図５に示すように、図１ないし図３に示したマット基材としての正方形状の樹脂マット３０上に９枚のタイル２０を３×３の配列状態に並べて設けた場合を説明する。
【００２１】
これを簡単に説明すると、符号１０は、建材マットとして、例えば床面、壁面、あるいはバルコニーやベランダ等に敷き詰められることで、該施工場所を体裁のよいタイル模様の化粧を施すことができるタイルマットであり、９枚のタイル２０とこれを所要の配列状態で並べる樹脂マット３０とによって構成されている。
【００２２】
ここで、上述したタイル２０は、例えば９．５ｃｍ角の正方形状に形成された板材であって、適宜の材質で形成され、その表面には、適宜の色彩、その他模様などが必要に応じて付されている。
【００２３】
前記樹脂マット３０は、上述したタイル２０を所定間隔をおいて３×３の配列で敷設できる大きさ、例えば３０ｃｍ角の正方形状の板材であって、この実施形態では、３×３の計９個所にタイル接合部を有している。
【００２４】
なお、図中３１は連結腕、３２は該連結腕３１が係合する連結凹部であり、それぞれが樹脂マット３０の各々二辺づつの側面部に突設または凹設されている。これらの連結腕３１を隣接する樹脂マット３０の連結凹部３２に順次連結させることにより、複数枚の樹脂マット３０を順次連結して敷設することができる。
また、図中３３は樹脂マット３０の下面に突設された脚部、３１ａは連結腕３１の下面に突設された脚部である。
【００２５】
前記樹脂マット３０上のタイル２０を接合するための各接合部には、図１、図３、図４に示すように、４隅に嵌合穴３５が貫通して設けられ、前記タイル２０の下面に設けた嵌合突部２２が嵌合することにより、着脱可能に嵌合固定するように構成されている。
【００２６】
ここで、嵌合突部２２は、図６に示すように、嵌合穴３５の内径よりも大きな外径を有する係止部２３を備えている。
【００２７】
以上の構成によれば、樹脂マット３０上の各接合部に対し、タイル２０を順次積み重ね、その嵌合突部２２を嵌合穴３５に嵌合させることにより、タイル２０を樹脂マット３０に着脱自在に嵌合保持させることができる。
【００２８】
この状態を図４（ａ），（ｂ），（ｃ）に示しており、嵌合突部２２を弾性変形させて嵌合穴３５に嵌入させることで、該嵌合突部２２の係止部２３によりタイル２０を樹脂マット３０の接合部に着脱自在に嵌合保持させることができる。
【００２９】
また、この状態からタイル２０を強制的に引き剥がし、嵌合突部２２を嵌合穴３５から抜脱することにより、係止部２３は上述した嵌入の際とは逆に弾性変形し、嵌合状態を解除することができる。
【００３０】
したがって、このような嵌合構造による樹脂マット３０とタイル２０とによるタイルマット１０によれば、該タイルマット１０を敷設する建築物の床面あるいは壁面等といった施工場所に樹脂マット３０を順次敷設し、接着剤その他の固定手段で固定した後、タイル２０を順次樹脂マット３０の各接合部に組み付けて嵌合させることにより、タイル２０を樹脂マット３０に組み付け固定することができる。
【００３１】
このようなタイルマット１０において、タイル２０を引きはがして嵌合状態を外すことにより、タイル２０を取り外すことが可能であり、模様替えを行ったりする際に便利である等といった利点がある。
【００３２】
また、このようなタイルマット１０において、タイル２０の嵌合突部２２をＰＥ（ポリエチレン）やＥＶＡ（エチレン-酢酸ビニル共重合樹脂などの弾性樹脂とすることで、嵌入の際に係止部２３が弾性変形して樹脂マット３０を貫通するので、係止部の外径を嵌合穴３５に内径より大きく成形することができ、嵌合突部２２を介してタイル２０と樹脂マット３０をしっかりと係止することができるという利点がある。
【００３３】
さらに、このようなタイルマット１０において、タイル２０の嵌合突部２２をシリコン、変性シリコンやエポキシ変性シリコン樹脂などの弾性接着剤とすることで、嵌入の後に嵌合突部の係止部２３が空気中の湿気と反応して硬化するので、嵌合突部２２を介してタイル２０と樹脂マット３０をよりしっかりと係止することができるという利点がある。
【００３４】
そして、このようなタイルマット１０において、タイル２０の嵌合突部２２をシリコン、変性シリコンやエポキシ変性シリコン樹脂などの弾性接着剤とすることで、嵌合突部２２を嵌合穴３５から抜脱して引き剥がした後、嵌合突部２２だけを切り離して、嵌合突部を廃棄する際に分別処理できる上に、新たな弾性接着剤の嵌合突部を接着することによりタイル２０を再利用することができるという利点がある。
【００３５】
また、上述した実施形態では、上記した樹脂マット３０を、耐久性や耐候性に優れた樹脂であって、こうしたタイルマットの樹脂マット３０として一般的な樹脂材料、例えば、ＰＥ（ポリエチレン）やＥＶＡ（エチレン-酢酸ビニル共重合樹脂）から型成型したものを用いることで、嵌合突部２２の係止部２３を嵌合穴３５に嵌入する際に、嵌合穴３５の周縁部も弾性変形するため、嵌入がよういとなり、係止部２３が嵌合穴３５を貫通した後は弾性変形した嵌合穴３５の周縁部が元に戻るので、タイル２０と樹脂マット３０はしっかりと係止される。
【００３６】
なお、本考案は上述した実施の形態で説明した構造には限定されず、各部の形状、構造等を適宜変形、変更し得ることはいうまでもない。
例えば、上述した実施形態では、９枚のタイル２０を樹脂マット３０に３×３の配列で並べて設けた場合を説明したが、本考案はこれに限定されず、例えば図１０に示すように、１枚のタイル２０を接合する接合部をもつ樹脂マット３０であってもよい。
【００３７】
さらに、タイル２０の配列としては、３枚、４枚の構成によるものは勿論、８枚、１２枚、３６枚等の構成によるものであってもよいことも言うまでもない。
また、タイル２０の大きさや樹脂マット３０の大きさなどとしても、種々の変形例が考えられる。
【００３８】
例えば図１１ないし図１３は、４隅に貫通して設けられている嵌合穴３５が２つずつ併設して設けられた状態を示し、この状態では、タイル側にもこれに対応するように嵌合突部を設けることにより、タイルと樹脂マット３０の嵌合がより安定した状態となる。
【００３９】
要は、樹脂マット３０は、その上面に一枚のタイル２０または複数枚のタイル２０が所定の配列状態に並べて接合できる大きさで形成されておればよい。このようにすれば、タイルマット１０として多様な形状と大きさをもつものを得ることができるものであり、施工場所に応じて適宜選択すればよい。
【００４０】
さらに、上述したタイル２０としては、例えば木材のもの、セラミック製のもの、天然石のもの、コンクリート材、天然樹脂、合成樹脂、鉄板、鋼板等といったその他の材質でできたもの等、適宜のものを提供できるものであり、要はタイル２０の裏面に嵌合突部２１を設け、これを着脱自在に相手の嵌合穴３５に嵌合保持させ得るものであればよい。勿論、これに限定されないことも言うまでもない。
【００４１】
なお、嵌合突部２２は、タイル２０との接合部に直接接着剤を塗布し、あるいは粘着テープを介して、タイル２０に接着されており、係止部２３による係合強度によっては、タイル２０をタイルマット１から引き剥がす際に、嵌合突部２２がタイル２０から剥脱することがある。
【００４２】
しかし、嵌合突部２２や嵌合穴３５の周縁部は、弾性変形可能な部材からなるので、嵌合穴３５に残った嵌合突部２２をペンチ等で挟んで引き抜くことができ、その後タイルマット１０に新たなタイル２０を嵌合突部２２を介して挿着することができる。
【００４３】
樹脂マット３０の接合部に設ける嵌合穴３５としても、タイル２０の四隅に位置する４個の嵌合穴に限らず、１個、あるいは２個以上の嵌合穴３５を設けることは自由である。
【産業上の利用可能性】
【００４４】
本考案のタイルマットは、床に敷き詰めるだけでなくの建物の外壁や塀、その他外装にも用いることができる。実用的には例えば野外イベントなどで、床に本考案のタイルマットを敷設するだけでなく、仮設された塀の片面又は両面に使用することにより、タイルの組み合わせによって文字や模様を描いた装飾的な塀とすることができる。これらもまた本考案の権利範囲である。
【符号の説明】
【００４５】
１０    タイルマット（建材マット）
２０    タイル
２２    嵌合突部
２３    係止部
３０    マット基材としての樹脂マット
３１    連結腕
３１ａ  脚部
３２    連結凹部
３３    脚部
３５    嵌合穴
【図１】
0003189820.tif 000003
【図２】
0003189820.tif 000004
【図３】
0003189820.tif 000005
【図４】
0003189820.tif 000006
【図５】
0003189820.tif 000007
【図６】
0003189820.tif 000008
【図７】
0003189820.tif 000009
【図８】
0003189820.tif 000010
【図９】
0003189820.tif 000011
【図１０】
0003189820.tif 000012
【図１１】
0003189820.tif 000013
【図１２】
0003189820.tif 000014
【図１３】
0003189820.tif 000015